(57)【要約】【課題】灰を用いることなく線香を立てることができ、同時に燃えかすの処理も簡便且つ容易に行い得る線香立てを提供する。【解決手段】上方から線香を挿入して下方に至らせるための軸方向に伸びる少なくとも一つの貫通孔１ａを有する香座１と、香座１を軸方向に貫通するとともにその軸周りに回動可能に香座１に支持されている自在軸２と、自在軸２の下端部に固着されて一部に孔が形成された平板状の部材であり、貫通孔１ａに挿入された前記線香の下端を介してこの線香を支持する一方、自在軸２を回動することにより前記孔を介して前記線香を落下させるとともに薙ぐことにより香座１との間で作用する剪断力により前記線香を細断する多能プレート３とを椀状の炉体４内に配設して構成した。【選択図】図３
2008132060.tif 000002
【特許請求の範囲】
【請求項１】
上方から線香を挿入して下方に至らせるための軸方向に伸びる少なくとも一つの貫通孔を有する香座と、
前記香座を軸方向に貫通するとともに前記軸周りに回動可能に前記香座に支持されている自在軸と、
前記自在軸の下端部に固着されて一部に孔が形成された平板状の部材であり、前記貫通孔に挿入された前記線香の下端を介してこの線香を支持する一方、前記自在軸を回動することにより前記孔を介して前記線香を落下させるとともに薙ぐことにより前記香座との間で作用する剪断力により前記線香を細断する多能プレートとを椀状の炉体内に配設して構成したことを特徴とする線香立て。
【請求項２】
請求項１に記載する線香立てにおいて、
前記香座は、その左右両側の中央部をそれぞれ支持軸を介して前記炉体に回動可能に取り付けるとともに、その前側に向けて傾斜するようにその後側に設けた傾斜調整手段で傾斜を調整するように構成したことを特徴とする線香立て。
【請求項３】
請求項１又は請求項２に記載する線香立てにおいて、
前記自在軸は、その途中にバネ部材を嵌装して軸方向の振動を吸収するように構成したことを特徴とする線香立て。
【請求項４】
請求項１乃至請求項３の何れか一つに記載する線香立てにおいて、
前記炉体はその底部が着脱可能な容器となっており、この容器に前記細断した線香を貯めておくように構成したことを特徴とする線香立て。
【発明の詳細な説明】
【技術分野】
【０００１】
本発明は線香立てに関し、特に家庭内にある仏壇に置く線香立てとして有用なものである。
【背景技術】
【０００２】
家庭内の仏壇に置く線香立ては、通常椀状の容器に灰を入れておき、この灰に線香の下部を挿入することで線香を立てるようになっている。この場合、前記灰中に挿入した線香の燃え残り部である燃えかすが前記灰中に残り、日時の経過とともに堆積する。ことに朝夕に焼香に勤める等の家庭においては、これが月余にして線香を立てるのに好適な場所であるその中央帯には線香を立てることができなくなる。これは、この部分に線香の燃えかす、この堆積性としての集中化が発生しているからである。そこで、線香立ての中央帯を避けて周辺部に立てた場合は線香自体の灰こぼれを生起してどうにも収拾が付かないことにつながってしまう。この場合において、無理しての不適箇所への線香の立て込みは、折れ、倒れ等を発生し、周辺の畳を汚す等、不測の事態を生起する可能性がある。
【０００３】
そこで、定期的に前記灰中から線香の燃えかすを除去してやる必要が生じる。具体的には燃えかすが混入している線香立ての灰をふるいにかけて灰から燃えかすを分離し、その後、再度灰のみを線香立てに戻している。かかる作業は面倒であるばかりでなく多大な時間も要する。これが承知のことでの億劫さを生起し、ここに堂々巡りの循環性、この繰り返しとなっていくものである。
【０００４】
そこで最近、灰を用いることなく線香を立てることができるようにした線香立ても提案されているが、何れも線香の燃えかすの処理を考慮したものではない（例えば、特許文献１、特許文献２等参照）。すなわち、線香を立てるための灰は存在しないが、線香を燃やした後の燃えかすはそのままの形で残るため、ここにしばしば燃えかす廃棄処理の不適格性を見るものである。
【０００５】
【特許文献１】登録実用新案第３０００７４１号公報
【特許文献２】特開２００１−２５８７１８号公報
【発明の開示】
【発明が解決しようとする課題】
【０００６】
本発明は、上記従来技術に鑑み、灰を用いることなく線香を立てることができ、同時に燃えかすの処理も簡便且つ容易に行い得る線香立てを提供することを目的とする。
【課題を解決するための手段】
【０００７】
上記目的を達成する本発明の第１の態様は、
上方から線香を挿入して下方に至らせるための軸方向に伸びる少なくとも一つの貫通孔を有する香座と、
前記香座を軸方向に貫通するとともに前記軸周りに回動可能に前記香座に支持されている自在軸と、
前記自在軸の下端部に固着されて一部に孔が形成された平板状の部材であり、前記貫通孔に挿入された前記線香の下端を介してこの線香を支持する一方、前記自在軸を回動することにより前記孔を介して前記線香を落下させるとともに薙ぐことにより前記香座との間で作用する剪断力により前記線香を細断する多能プレートとを椀状の炉体内に配設して構成したことを特徴とする線香立てにある。
【０００８】
本発明の第２の態様は、
上記第１の態様に記載する線香立てにおいて、
前記香座は、その左右両側の中央部をそれぞれ支持軸を介して前記炉体に回動可能に取り付けるとともに、その前側に向けて傾斜するようにその後側に設けた傾斜調整手段で傾斜を調整するように構成したことを特徴とする線香立てにある。
【０００９】
本発明の第３の態様は、
上記第１又は第２の態様に記載する線香立てにおいて、
前記自在軸は、その途中にバネ部材を嵌装して軸方向の振動を吸収するように構成したことを特徴とする線香立てにある。
【００１０】
本発明の第４の態様は、
上記第１乃至第３の態様の何れか一つに記載する線香立てにおいて、
前記炉体はその底部が着脱可能な容器となっており、この容器に前記細断した線香を貯めておくように構成したことを特徴とする線香立てにある。
【発明の効果】
【００１１】
上記構成を有する本発明によれば、灰を用いることなく線香を立てることができるばかりでなく、燃えかすは自在軸を回動することにより多能プレートの孔を介して自重で下方に落下するとともに、この落下の際に細断される。この結果、燃えかすは細断された状態で炉体の底部に堆積される。このように燃えかすを炉体の底部に堆積させておくことができるが、炉体は容易に大容積化し得るので、その処理の頻度を可及的に少なくすることができる。この結果、炉体から香座等を取り外すだけで燃えかすの廃棄処理をきわめて容易且つ簡便に行うことができる。
【発明を実施するための最良の形態】
【００１２】
以下、本発明の実施の形態を図面に基づき詳細に説明する。なお、本実施の形態の説明は例示であり、本発明の構成は以下の説明に限定されない。
【００１３】
図１は本発明の実施の形態に係る線香立ての正面図、図２はその平面図、図３はその右側断面図である。これらの図に示すように、本形態に係る線香立ては、上方から線香（図示せず）を挿入するための貫通孔１ａ，１ｂ，１ｃを有する香座１と、軸周りに回動可能に香座１に支持されている自在軸２と、自在軸２の下端部に固着された平板状の部材である多能プレート３と、一体となった前記香座１、自在軸２及び多能プレート３が内部に配設された椀状の炉体４とを有する。また、炉体４の正面にはその一部に鏡６を貼着してある。この鏡６により仏壇に向かってお経を唱えようとする自分の顔を確認でき、その時点の気持ちの在りようを自省できるようになっている。
【００１４】
図４は香座１を抽出して示す図で、（ａ）はその平面図、（ｂ）はその右側面図、（ｃ）はその底面図である。前記図２及び図３に図４を追加して、特に香座１の部分を詳細に説明する。これらの図に明示するように、前述の如く上方から線香（図示せず）を挿入するための貫通孔１ａ，１ｂ，１ｃを有する香座１は、その左右両側の中央部を支持軸７ａ，７ｂを介して炉体４に回動可能に取り付けるとともに、その前側に向けて傾斜するようにその後側に設けた傾斜調整手段で傾斜を調整してある。さらに詳言すると、傾斜調整手段は、調整ネジ８と突起部９とからなる。ここで、調整ネジ８は、香座１の後部で軸方向に貫通させてこの香座１に螺合させてある。一方、突起部９は炉体４の筒部（後に詳述する）４ｃの上端に水平方向に突出させて配設してあり、この突起部９に調整ネジ８の下端が当接するようになっている。かくして、調整ネジ８の香座１に対するねじ込み量を調整することにより支持軸７ａ，７ｂを回動中心とする香座１の傾斜量を調整し得る。さらに、香座１は、前記貫通孔１ａ乃至１ｃの他に線香の灰を下方に排出するための排出用貫通孔１ｄ及び薫香用の線香（香りを楽しむ線香で、通常の線香よりも短い。）を挿入する貫通孔１ｅを有する。前述の如き香座１の傾斜は、排出用貫通孔１ｄの存在と相俟って香座１上に落下した線香の灰の排出を容易にしている。ここで、香座１は当該線香立ての前方に向かって傾斜しているので、これを前面から見た場合には特に違和感を感じることはない。なお、本形態では線香を挿入するための貫通孔１ａ乃至１ｃの数は３個としたが、少なくとも１個あればその数に特別な制限はない。
【００１５】
図５は自在軸２を抽出して示す図で、（ａ）はその正面図、（ｂ）はその右側面図である。また、図６は多能プレート３を抽出して示す図で、（ａ）はその平面図、（ｂ）はその正面図である。前記図２及び図３に図５及び図６を追加して、特に自在軸２及び多能プレート３の部分を詳細に説明する。これらの図に明示するように、自在軸２は香座１を軸方向に貫通するとともにその軸周りに回動可能に香座１に支持されている。ここで、自在軸２の途中にはバネ部材１０を嵌装して前記軸方向の振動を吸収するように構成してある。すなわち、バネ部材１０を嵌装することで自在軸２を軸周りに回動させる際の操作を円滑に行い得るようにしている。また、香座１と自在軸２との間の隙間に起因するがたつきを除去するため、自在軸２の途中にはＯリング１１ａ，１１ｂが嵌装されている。
【００１６】
自在軸２の頂部には家紋、宗紋等を表す掲紋５を設けるようにしても良い。この掲紋５は自在軸２の頂部に軸方向に設けた縦溝２ａに着脱可能に取り付けてあり、好みに合わせて任意に取替え得る構造となっている。
【００１７】
自在軸２の下端部に固着された多能プレート３は、図６に明示するように、一部に孔３ａが形成された平板状の部材であり、貫通孔１ａ乃至１ｃ又は貫通孔１ｅに挿入された前記線香の下端を介して各線香を支持する一方、自在軸２を回動することにより孔３ａを介して前記線香を落下させるとともに薙ぐことにより香座１との間で作用する剪断力により前記線香を細断するものである。すなわち、線香は、通常その下端が多能プレート３に当接してこの多能プレート３で支持することにより当該線香立てに立てられる。一方、所定の寸法まで燃え尽き、火が消えた状態で多能プレート３に支持されている線香は、自在軸２を回動することで孔３ａを介して下方に落下させる。このとき、多能プレート３は線香の落下方向に対し直角方向に回動しているので、落下中の線香を薙いで香座１との間に挟み込み、このとき作用する剪断力で前記線香を細断する。このように、多能プレート３は、落下、薙ぎ、剪断の３つの機能を有する。また、このとき細断された線香は炉体４の底部に貯留される。
【００１８】
図７は炉体４を抽出して示す図で、（ａ）はその平面図、（ｂ）はその右側断面図である。前記図２及び図３に図７を追加して、特に炉体４の部分を詳細に説明する。これらの図に明示するように、炉体４は、椀状の容器である本体４ａ、本体４ａの上端面に当接させてその内部に挿入される鍔部４ｂ、鍔部４ｂの内周側で炉体４の内部の中央部に配設されている筒部４ｃ及び本体４ａの底部でこの本体４ａに対して着脱可能に構成した容器４ｄとを有している。香座１、自在軸２及び多能プレート３は一体となって炉体４内に配設してある。ここで、筒部４ｃはその上端部を介して鍔部４ｂの内周面に固着してあり、香座１は支持軸７ａ，７ｂを介して筒部４ｃに回動可能に装着されている。かくして、鍔部４ｂ、筒部４ｃ並びに自在軸２及び多能プレート３と一体なった香座１は、本体４ａに対し着脱可能に構成してある。すなわち、鍔部４ｂ、筒部４ｃ並びに自在軸２及び多能プレート３と一体なった香座１は、本体４ａの上方から本体４ａの上端開口部を介して挿入してその内部に配設し得るようになっている。
【００１９】
容器４ｄはその上部の外周面に嵌着されたＯリング１２を介して本体４ａの底部の開口部に下方から嵌め込むように構成してある。ちなみに、図３に示す状態が容器４ｄを本体４ａから取り外した状態であり、図７（ｂ）に示す状態が容器４ｄを本体４ａに装着した状態をそれぞれ示している。ここで、容器４ｄは多能プレート３の孔３ａの下方に位置しており、自在軸２の回動で細断されて落下してきた線香を貯留することができるようになっている。細断された線香がある程度貯留された場合には、容器４ｄを本体４ａから取り外して廃棄する。
【００２０】
なお、本形態における炉体４は、本体４ａ、鍔部４ｂの３部分を有するものとして構成したが、必ずしもこのように構成する必要はない。香座１等を収納し得る椀状の部材であれば良い。また、炉体４の底部に着脱可能な容器４ｄを設ける必要も必ずしもない。細断した線香を底部に貯留し得る図８に示すような椀状の容器となっていれば良い。この場合には、鍔部４ｂ、筒部４ｃ及び香座１等を、本体４ａの上方に引き抜いて取り外し、本体１４ａの底部に貯留された線香をその上端開口を介して廃棄する。
【００２１】
以上説明した本形態に係る線香立てによれば線香は、貫通孔１ａ乃至１ｃの何れかに立てれば良い。また、薫香用の線香は貫通孔１ｅに立てる。
【００２２】
線香が燃えることにより発生する灰は、香座１の表面等に落下するが、これは香座１の傾斜及び排出用貫通孔１ｄを介して良好に容器４ｄ内に落下・収納される。
【００２３】
線香が燃え尽きて火が消えた状態で貫通孔１ａ乃至１ｃ，１ｅに留まっている状態で自在軸２を左右に回動する。この結果、線香は孔３ａを介して下方に落下するが、このとき多能プレートが線香の落下方向に対し直角方向に回動しているので、落下中の線香を薙いで香座１との間に挟み込み、このとき作用する剪断力で前記線香を細断する。このとき細断された線香は炉体４の底部に貯留される。
【産業上の利用可能性】
【００２４】
本発明は、仏具を製造販売する産業分野で利用することができる。
【図面の簡単な説明】
【００２５】
【図１】本発明の実施の形態に係る線香立てを示す正面図である。
【図２】本発明の実施の形態に係る線香立てを示す平面図である。
【図３】本発明の実施の形態に係る線香立てを示す右側断面図である。
【図４】本発明の実施の形態に係る線香立ての香座を抽出して示す図で、（ａ）はその平面図、（ｂ）はその右側面図、（ｃ）はその底面図である。
【図５】本発明の実施の形態に係る線香立ての自在軸を抽出して示す図で、（ａ）はその正面図、（ｂ）はその右側面図である。
【図６】本発明の実施の形態に係る線香立ての多能プレートを抽出して示す図で、（ａ）はその平面図、（ｂ）はその正面図である。
【図７】本発明の実施の形態に係る線香立ての炉体を抽出して示す図で、（ａ）はその平面図、（ｂ）はその右側断面図である。
【図８】本発明の実施の形態に係る線香立ての炉体の他の例を抽出して示す右側断面図である。
【符号の説明】
【００２６】
１          香座
１ａ，１ｂ，１ｃ，１ｅ  貫通孔
２          自在軸
３          多能プレート
３ａ        孔
４          炉体
４ｄ        容器
７ａ，７ｂ  支持軸
８          調整ネジ
９          突起部
１０        バネ部材
【図１】
2008132060.tif 000003
【図２】
2008132060.tif 000004
【図３】
2008132060.tif 000005
【図４】
2008132060.tif 000006
【図５】
2008132060.tif 000007
【図６】
2008132060.tif 000008
【図７】
2008132060.tif 000009
【図８】
2008132060.tif 000010